(57)【要約】【課題】  梱包を容易に行うことができ、輸送の際の衝撃にも強く、梱包時に外寸法を把握することで、より安価な配送料へ対応することを可能とする包装用シートを提供することにある。【解決手段】  シート状基材シート状基材からなる包装材であり、前記包装材は長方形の底部と、該底部の長方形の一組の対向する辺に設けられている第１フラップ部と第２フラップ部、他の対向する辺に設けられている第１蓋部と第２蓋部を有しており、第１フラップ部には舌片状部を、第２フラップ部は孔部を有しており、第１フラップ部の舌片状部を第２フラップ部は孔部に挿入することで被包装物を固定することでき、第１蓋部と第２蓋部を重ね合わせることが可能である包装材。【選択図】図１
2019108133.tif 000002
【特許請求の範囲】
【請求項１】
シート状基材シート状基材からなる包装材であり、前記包装材は長方形の底部と、該底部の長方形の一組の対向する辺に設けられている第１フラップ部と第２フラップ部、他の対向する辺に設けられている第１蓋部と第２蓋部を有しており、第１フラップ部には舌片状部を、第２フラップ部は孔部を有しており、第１フラップ部の舌片状部を第２フラップ部は孔部に挿入することで被包装物を固定することでき、第１蓋部と第２蓋部を重ね合わせることが可能であることを特徴とする包装材。
【請求項２】
第２フラップ部に設けられている孔部の幅よりも広い幅の部分を複数有する舌片状部で被包装物を固定する請求項１記載の包装材。
【請求項３】
第１フラップ部の舌片状部を第２フラップ部は孔部に挿入することで被包装物を固定する際、最終の包装状態の厚みが所定の厚みを超えるか否か、或いは最終の包装状態の包装物の配送料が幾らかを識別可能である請求項１又は２に記載の包装材。
【請求項４】
底部と第１フラップ、第２フラップ、第１蓋部、第２蓋部の境界に、折り目が形成されている請求項１〜３のいずれかに記載の包装材。
【請求項５】
第１フラップ、第２フラップ、第１蓋部、第２蓋部の少なくともひとつに、折り曲げ用の罫線が設けられている請求項１〜４のいずれかに記載の包装材。
【請求項６】
第１フラップ、第２フラップの底部に近い部分に更にコーナーフラップ部を設けられている請求項１〜５のいずれかに記載の包装材。
【請求項７】
シート状基材の少なくとも一部分が緩衝材を有する請求項１〜６のいずれかに記載の包装材。
【請求項８】
ＪＩＳ Ｐ−８１１８（２０１４）に準拠し２３℃の条件下にて測定したシート状物の厚さが、０．５ｍｍ〜６．０ｍｍである、請求項１〜７のいずれかに記載の包装材。
【発明の詳細な説明】
【技術分野】
【０００１】
本発明は、シート束、書籍等の被包装物を容易に梱包できる包装材である。
【背景技術】
【０００２】
オンラインショップ等で購入した商品等の配送は、例えば、商品等を段ボールシートにストレッチフィルムで固定し、それを段ボール箱で包装し配送していた。しかし、その数量が年々増加するために、留守宅への再配送など、配送業者の負担が高まり、配送システムの改善や配送料の値上げなどが求められている。再配送を減らすために、段ボール包装から封筒状の包装材を使用することで各戸の郵便受けに投函できるようにしたり、配送料値上げへの対応として、省包装化、包装物の外寸法を減らしたりすることが取り組まれている。
【０００３】
しかし、封筒状の包装材の場合、商品を挿入する際に時間がかかったり、封筒が破れてしまったりして、作業性が悪い。そこで、一枚のシートを切り目と折り目を屈指した梱包具も提案されている（特許文献１参照）。
【先行技術文献】
【特許文献】
【０００４】
【特許文献１】特開平9-48423号公報
【発明の概要】
【発明が解決しようとする課題】
【０００５】
しかし、特許文献１に記載された梱包具は、複雑な形状あるため、梱包作業に時間がかかり、また、幾重にもシートが重なるので、厚みが大きくなり、配送料が高くなってしまうことにもなり、実用的ではない。
本発明は、梱包を容易に行うことができ、輸送の際の衝撃にも強い包装材を提供する。また、梱包の際に外寸法を把握することが可能であるので、より安価な配送料へ対応することができる包装材を提供することにある。
【課題を解決するための手段】
【０００６】
本発明は、シート状基材からなる包装材であり、前記包装材は長方形の底部と、該底部の長方形の一組の対向する辺に設けられている第１フラップ部と第２フラップ部、他の対向する辺に設けられている第１蓋部と第２蓋部を有しており、第１フラップ部には舌片状部を、第２フラップ部は孔部を有しており、第１フラップ部の舌片状部を第２フラップ部は孔部に挿入することで被包装物を固定することでき、第１蓋部と第２蓋部を重ね合わせることが可能であることを特徴とする包装材である。
【発明の効果】
【０００７】
本発明の包装材によれば、シート状基材の底部に被包装物を設置し、第１フラップ部と第２フラップ部で被包装物を固定し、第１蓋部と第２蓋部を重ね合わせ封緘することで包装できるので、梱包が容易に行うことができ、輸送の際の衝撃にも強く、且つ廃棄が容易な包装物を提供することが可能である。また、寸法の異なる被包装物を梱包しながら梱包後の包装物の外寸法を把握でき、配送料金、郵便受けへの投函の可否が事前にわかるため、物流費や再配送低減への取り組みを主体的に行うことができるようになる。
【図面の簡単な説明】
【０００８】
【図１】本発明の包装材の平面説明図。
【図２】本発明の包装材の使用方法の説明図。
【図３】本発明の罫線の一例を示す平面説明図。
【図４】舌片状部にサイズを表示した例を説明する部分平面図。
【図５】本発明の罫線の一例を示す平面説明図。
【図６】本発明の包装材を用いた包装物を説明する斜視図である。
【発明を実施するための形態】
【０００９】
本発明の包装材について図面を用いて説明する。なお、本発明は、図面の内容に限定されるものではない。
図１に示すように、シート状基材より構成される包装材１である。
包装材１は長方形の底部２と、該底部の長方形の一組の対向する辺に設けられている第１フラップ部３と第２フラップ部４、他の対向する辺に設けられている第１蓋部５と第２蓋部６を有する。第１フラップ部３には舌片状部８を、第２フラップ部４は孔部９を有する。第１フラップ部の舌片状部８を第２フラップ部は孔部９に挿入することで被包装物を固定することでき、第１蓋部と第２蓋部を重ね合わせることが可能である。第１蓋部５と第２蓋部６を糊付けすることで包装物となる。例えば、図２のような順で被包装物１５の包装（梱包）を行い、包装物２０を得ることができる。
【００１０】
被包装物１５は、特に限定するものではないが、長方形のものが適している。例えば、はがき、コピー用紙、インクジェット記録用紙、クリアファイルといったシートの束、書籍、ビデオテープやＤＶＤなどが例示できる。底部の面積と同等以下の被包装物の包装に適している。
【００１１】
底部２と第１フラップ部３は、折り目線７ａにより底部からの折り曲げを容易にすることができる。同様に、第２フラップ部４は折り目線７ｂにより、第１蓋部５は折り目線７ｃにより、第２蓋部６は折り目線７ｄにより、底部からの折り曲げを容易にすることができる。
更に、第１フラップ部３には罫線３ａ、第２フラップ部４には罫線４ａ、第１蓋部５は折り目線５ａ、第２蓋部６は折り目線６ａにより側面部３ｃ、４ｃ、５ｃ、６ｃと上面部３ｂ、４ｂ、５ｂ、６ｂの折り曲げを容易にすることができる。この罫線は、図３のように、複数設けると被包装物の大きさに合わせてシートを折り曲げることができ好ましい。複数の罫線３ｄ、４ｄ、５ｄ、６ｄは、罫線３ａ、４ａ、５ａ、６ａとそれぞれ平行に設けるとよい。
【００１２】
第２フラップ部４に設けられている孔部２と第１フラップ部３の舌片状部８は、舌片状部を孔に挿入した後、固定される。固定方法は特に限定するものではなく、テープや糊で固定することができる。舌片状部の先に接着剤層を予め設けておくこともできる。特に、第２フラップ部に設けられている孔部９の幅よりも広い幅の部分を複数有する舌片状部８とすることで、挿入した際に幅の広い部分で固定されるため、操作が簡単で固定可能となり好ましい。なお、舌片状部の先端が第２フラップ部４の下側から表に現れるように孔に挿入することが、より固定が確実に行えるので好ましい。
【００１３】
舌片状部８に、幅の広い部分８ａを複数設けることで、寸法の異なる被包装物を包装することができる。特に、舌片状部の固定位置は、シート状基材の厚みを考慮すれば、最終の包装物の厚みと相関がある。したがって、例えば、図４のように、固定位置に目印８ｂを設けておけば、最終の包装状態の厚みが所定の厚みを超えるか否か、或いは最終の包装状態の包装物の配送料が幾らかを識別可能となるので好ましい。目印は、舌片状部に設けても、第２フラップ部に設けてもかまわない。
【００１４】
更に、第１フラップ部３、第２フラップ部４の底部２に近い部分に更にコーナーフラップ部１０〜１３を設けると、コーナー部分の隙間から塵などの混入を防ぐことができ、好ましい。コーナーフラップ部には、厚みの異なる被包装物に対応するために、図５のように、折込用罫線１０ａ，１１ａ，１２ａ，１３ａを設けることができる。
【００１５】
第２蓋部６には、梱包作業がスムーズに行うことができるように、予め接着剤層１４をも受けることが好ましい。例えば、剥離シートで保護しておき、使用の際に剥離シートを剥がし、接着するとよい。
或いは、第１蓋部と第２蓋部を重ね合わせた後、表面（外部）からにテープ等で固定してもよい。図６のように、テープに代えて送り状を貼り付けることで固定することもできる。
【００１６】
包装材はシート状基材により構成される。例えば、段ボール、片面段ボール、板紙、塗工白板紙などである。被包装物を設置する面に、緩衝材を貼り合せたシートを用いても良い。耐水性を付与するために、フィルムをラミネートしたり、撥水剤をコーティングしたシートを用いたりしても良い。宛名などを各種プリンターで印字可能なように記録層を被包装物の設置しない面に設けたシートであってもよい。
特に緩衝材を設けた場合、被包装物をより安全に輸送、運搬できるため好ましいが、緩衝材としては、紙に凹凸のエンボスを施したクッション材や、紙にスリットを入れて拡幅してクッション機能を付与させたクッション材、紙に凹凸の段繰り構造を有する片面ダンボール、樹脂シートを発泡させてクッション機能を付与させたクッション材、二枚のフイルム間に空気層を設けたクッション材など適宜使用できる。中でも、紙を用いた緩衝材は廃棄の際に分別することなく古紙回収に出せるので好ましい。
シート状基材の厚みは、ＪＩＳ Ｐ−８１１８（２０１４）に準拠し２３℃の条件下にて測定した値が、緩衝材のある場合はそれを含め０．５〜６．０ｍｍであることが好ましい。下限値以上とすることで、被包装物を保護することができ、上限値以下とすることで、梱包の作業をスムーズに行うことが出来る。
【産業上の利用可能性】
【００１７】
このように、本発明の包装材は、包装作業を容易に行うことができ、輸送の際の衝撃にも強い包装材である。また、梱包の際に外寸法を把握することが可能であるので、より安価な配送料へ対応することができる。
【符号の説明】
【００１８】
１    包装材
２    底部
３    第１フラップ部
３ａ  罫線
３ｂ  上面部
３ｃ  側面部
３ｄ  罫線
４    第２フラップ部
４ａ  罫線
４ｂ  上面部
４ｃ  側面部
４ｄ  罫線
５    第１蓋部
５ａ  罫線
５ｂ  上面部
５ｃ  側面部
５ｄ  罫線
６    第２蓋部
６ａ  罫線
６ｂ  上面部
６ｃ  側面部
６ｄ  罫線
７ａ．７ｂ，７ｃ，７ｄ折り目線
８    舌片状部
８ａ  幅の広い部分
８ｂ  目印
９    孔部
１０、１１、１２、１３  コーナーフラップ部
１０ａ，１１ａ，１２ａ，１３ａ  折込用罫線
１４  接着剤
１５  被包装物（書籍）
２０  包装物
２１  送り状
【図１】
2019108133.tif 000003
【図２】
2019108133.tif 000004
【図３】
2019108133.tif 000005
【図４】
2019108133.tif 000006
【図５】
2019108133.tif 000007
【図６】
2019108133.tif 000008